(57)【要約】      （修正有）【課題】木製印章印面の彫刻凹面からの朱肉油の浸透、およびそれに起因する印面の脆弱化を防止し、長期にわたって加工当初の印面形状を維持可能となり、登録印としても永く利用できる新たな印章を提供する。【解決手段】木材の杢目に直交状となる方向に圧縮加工した木製印材からなる印章本体１０であって、その杢目方向の一方端が、撥朱肉油性を有する精油を塗装および含浸、または、塗装もしくは含浸してなる彫刻凹面２０と、墨による化粧用の仕上げ塗装が施された印凸面２１からなる印面２に形成してなる印章１である。【選択図】図１
0003146392.tif 000002
【実用新案登録請求の範囲】
【請求項１】
圧縮加工された木製印材からなる印章本体であって、その杢目方向の一方端が、撥朱肉油性を有する精油を塗装および含浸、または、塗装もしくは含浸してなる彫刻凹面と、墨による化粧用の仕上げ塗装が施された印凸面とからなる印面に形成されてなるものとしたことを特徴とする印章。
【請求項２】
木材の杢目に直交状となる方向に圧縮された印材を、その木製印章本体の杢目方向の一方端が、撥朱肉油性と芳香性とを兼ね備え、該印章本体と同一種の木材から抽出した精油を塗装および含浸、または、塗装もしくは含浸してなる彫刻凹面と、墨による化粧用の仕上げ塗装が施された印凸面とからなる印面に形成されてなるものとしたことを特徴とする印章。
【請求項３】
木材の杢目に直交状となる方向に４０ないし３０％まで圧縮された印材を、その杢目方向の一方端が印面に設定可能な形状に切削、裁断し、透明樹脂塗料にて表面塗装された印章本体からなり、該印章本体の印面が、撥朱肉油性と芳香性とを兼ね備え、該印章本体と同一種の木材から抽出した精油を塗装および含浸、または、塗装もしくは含浸してなる彫刻凹面と、墨による化粧用の仕上げ塗装が施された外枠を含む印凸面とからなるものとしたことを特徴とする印章。
【請求項４】
ヒバ材の杢目に直交状となる方向に４０ないし３０％まで圧縮された印材を、その杢目方向の一方端が印面に設定可能な形状に切削、裁断し、透明樹脂塗料にて表面塗装された印章本体からなり、該印章本体の印面が、撥朱肉油性と芳香性とを兼ね備えたヒバ油を塗装および含浸、または、塗装もしくは含浸してなる彫刻凹面と、墨かまたは朱墨かの何れか一方による化粧用の仕上げ塗装が施された外枠を含む印凸面とからなるものとしたことを特徴とする印章。                                                                            
【考案の詳細な説明】
【技術分野】
【０００１】
この考案は、印章に関するものであり、印章を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                
【背景技術】
【０００２】
（着目点）
木製の印章は、植物性の印材として美感に秀れており、象牙や水牛の角などよりも廉価にて製造可能なことから、印章に適した緻密で硬く、杢目の美しい種類が選ばれて古くから広く使われてきたが、永年にわたり使用すると、朱肉油分が印面の特に彫刻凹面部分より浸透して印面の外周縁付近が汚れてしまうばかりでなく、脆くなり易く、通常の使用によっても印章本体を傾けて押印した場合や、朱肉ケースに触れたときなどに、印面の外枠部分が欠けてしまう虞が高くなり、登録印として長期間使用するのには不向きな素材とされており、使用後に朱肉油分をよく拭き取るなどの手入れが欠かせないものであった。
【０００３】
（従来の技術）
そうした事情を打開しようとして、例えば、後記する特許文献１（１）に掲載されている発明のように、一般的な石材よりも硬度の高い備長炭を印材として使用して印面の欠けを防止しようとしたものや、同特許文献１（２）に示されている考案にみられるように、印面に彫刻した文字（印凸面）の外枠との接点を肉厚化するよう特殊形状化して外枠の殆どの部分を強化したもの、または、同特許文献１（３）に示された発明のように、印面の欠けた部分に光り硬化充填材などを充填、硬化させて研磨するなどして修復する技術などが散見される。
【０００４】
しかし、前者特許文献１（１）に示されているような、木材を蒸し焼きして硬度を高めたものを印材として用いた印章は、木材をそのまま印材としたものとは、その外観や質感が大きく異なるものとなってしまい、木製の印章を希望する人々に抵抗なく受け入れてもらえるよう提供するのは難しいという欠点を有するものであり、また、２番目に示した特許文献１（２）のように印面を強化する目的で彫刻そのものの書体、書風を特徴的なものに設定してしまうものも、外の書体を希望する顧客に勧めるのは難しいという難点があり、さらにまた、後者同特許文献１（３）に代表されるように、欠けてしまった印章の印面を補修する方法などは、印面の補修箇所以外の部分は、脆いままとなってしまい、再び欠けたり割れたりしてしまうと複数回にわたる補修を余儀なくされる虞があり、印面の形状は補修できても、補修箇所の外観を損ねることが懸念されるものであった。                                                  
【特許文献１】（１）特開２００７−２９０３３４号公報    （２）実用新案登録第３１３６０２３号公報    （３）特開２００５−１６１８４６号公報
【考案の開示】
【考案が解決しようとする課題】
【０００５】
（問題意識）
上述したとおり、従前までに提案のある各種印章は、夫々硬度を高めるよう蒸し焼き処理された備長炭などの印材は、従前までの木製印材特有の色合いや質感などが失われてしまい、木製印材を希望する顧客に勧めることは困難となり、また、印面に彫刻される文字の書体や書風などに、印面の外枠を補強可能な形状を盛り込んだものは、自由に書体を選択できないという欠点があり、使用して欠けてしまった印面に、光り硬化充填材などを充填して補修する技術などは、補修部分のみが補強されるものであって、修理後にも修繕箇所以外の部分が破損してしまったり、修理痕が残ってしまうことが懸念されるなど、木製印章の印面からの朱肉油の浸透と、それに起因する印面の破損を防止できる技術については未だ存在しないという状況にある。
【０００６】
（考案の目的）
そこで、この考案は、木製印章印面の彫刻凹面からの朱肉油の浸透、およびそれに起因する印面の脆弱化を防止し、長期にわたって加工当初の印面形状を維持可能となり、登録印としても破損を心配せず、しかも、象牙や石などの素材と違って木の温もりを活かしながら、青森県特産のヒバ材の特質を活かしつつ、安心して永く利用することができる新たな印章技術の開発はできないものかとの判断から、逸速くその開発、研究に着手し、長期に渡る試行錯誤と幾多の試作、実験とを繰り返してきた結果、今回、遂に新規な構造の印章を実現化することに成功したものであり、以下では、図面に示すこの考案を代表する実施例と共に、その構成を詳述することとする。                                                                                                
【課題を解決するための手段】
【０００７】
（考案の構成）
図面に示すこの考案を代表する実施例からも明確に理解されるように、この考案の印章は、基本的に次のような構成から成り立っている。
即ち、圧縮加工された木製印材からなる印章本体であって、その杢目方向の一方端が、撥朱肉油性を有する精油を塗装および含浸、または、塗装もしくは含浸してなる彫刻凹面と、墨による化粧用の仕上げ塗装が施された印凸面とからなる印面に形成されてなるものとした構成を要旨とする印章である。
【０００８】
この基本的な構成からなる印章を、より具体的なものとして示すと、木材の杢目に直交状となる方向に圧縮された印材を、その木製印章本体の杢目方向の一方端が、撥朱肉油性と芳香性とを兼ね備え、該印章本体と同一種の木材から抽出した精油を塗装および含浸、または、塗装もしくは含浸してなる彫刻凹面と、墨による化粧用の仕上げ塗装が施された印凸面とからなる印面に形成されてなるものとした構成からなる印章となる。
【０００９】
これを表現を変えて示すと、木材の杢目に直交状となる方向に４０ないし３０％まで圧縮された印材を、その杢目方向の一方端が印面に設定可能な形状に切削、裁断し、透明樹脂塗料にて表面塗装された印章本体からなり、該印章本体の印面が、撥朱肉油性と芳香性とを兼ね備え、該印章本体と同一種の木材から抽出した精油を塗装および含浸、または、塗装もしくは含浸してなる彫刻凹面と、墨による化粧用の仕上げ塗装が施された外枠を含む印凸面とからなるものとした構成からなる印章となる。
【００１０】
さらに、具体的に示すと、ヒバ材の杢目に直交状となる方向に４０ないし３０％まで圧縮された印材を、その杢目方向の一方端が印面に設定可能な形状に切削、裁断し、透明樹脂塗料にて表面塗装された印章本体からなり、該印章本体の印面が、撥朱肉油性と芳香性とを兼ね備えたヒバ油を塗装および含浸、または、塗装もしくは含浸してなる彫刻凹面と、墨かまたは朱墨かの何れか一方による化粧用の仕上げ塗装が施された外枠を含むからなるものとした構成からなる印章となる。                                                                                  
【考案の効果】
【００１１】
以上のとおり、この考案の印章によれば、従前までは、木製印材からなる印面の欠けや割れを防止するのに、木材を蒸し焼きして硬度に秀れた木炭を印材に用いたものや、木製印材の印面を強化するのに彫刻文字の書体や書風などを工夫して印凸面の肉厚を増したもの、または、欠けた後の印面に充填材を用いて修理する技術などはあったが、木製の印材がもつ木の温もりや杢目の美しさなどの独特の質感を有したまま印面の強度を高めたものであって、印面の彫刻文字の書体や書風などに制限を受けず、しかも印面が十分に強化されており、通常の使用によって欠けや割れを生じる虞が殆どない木製印章は存在しなかったが、圧縮加工した木製印材からなる印章本体の杢目方向の一方端を、撥朱肉油性を有する精油を塗装および含浸、または、塗装もしくは含浸してなる彫刻凹面、および、墨による化粧用の仕上げ塗装が施された印凸面からなる印面に形成し、当該圧縮加工された木製印材を用いて、木の温もりや杢目の美しさなどの独特の質感を有したまま印章本体の強度を高めることができると共に、該印面の全面を形成する彫刻凹面と印凸面との双方の表面が、当該精油ならびに墨による撥朱肉油作用を発揮して印面からの朱肉油の浸透を確実に防止可能なものとし、長期にわたり使用した場合にも製造当初と同等の印凸面強度を保ち、高い耐久強度を実現化できるという秀れた特徴が得られるものである。
【００１２】
加えて、当該精油を印章本体と同一種の木材から抽出し、印章本体の木の香りや色合いと、精油の香りや色合いとが一致して全く違和感がなく、杢目の美しい高品質な深い色合い、および木質素材そのままの場合よりも一段と木質素材独特の香り高い印章とすることができ、従来までの木製印章に比較して各段に秀れた付加価値を与えることができるという効果が得られるものとなる。
【００１３】
さらに、木材の杢目に直交状となる方向に４０ないし３０％まで圧縮された印材を用いてなる印章本体を、透明樹脂塗料にて表面塗装してなるものは、木材の杢目の質感などを損ねることなく最大の硬度を得ることが可能となり、しかも表面塗装が印章本体の艶や光沢を高めて印面以外の外周壁面からの朱肉油の浸透や汚れの付着を防止して、木肌を露出したままの木製印章に比較して一層美しい外観を長期にわたって保つことができるという利点が得られる。
【００１４】
また、この考案の木製印章は、その印材にヒバ材を用いると共に、精油としてヒバ油を用いてなるものでは、ヒバ材が本来もっている抗菌効果、殺菌効果、防虫効果、消臭効果、脱臭効果および精神安定効果などを、ヒバ油に含まれる高濃度のヒノキオールに代表されるような各種成分が大幅に増強するものとなり、従前までの木製印章では得ることのできない程度の前記各種効果（抗菌効果、殺菌効果、防虫効果、消臭効果、脱臭効果および精神安定効果など）が得られるものとなり、印章を使用する度毎に、ヒバ材の暖かい温もりのある触感と圧縮木材の重量感、および杢目の美しさに加え、ヒバの香りが漂い、秀れた清潔感と清涼感とを味わうことができる印鑑を提供でき、青森特産のヒバ材の新たな分野への商品展開を図る上で大いに役立つものになると言える。                                                        
【考案を実施するための最良の形態】
【００１５】
上記したとおりの構成からなるこの考案の実施に際し、その最良もしくは望ましい形態について説明を加えることにする。
印章本体は、木材本来の杢目や色、温もりのある感触などを保持した状態に圧縮加工された木製印材からなるものとしなければならず、木材の杢目に直交状となる方向に圧縮された印材とし、その杢目方向の一方端が印面に設定されたものとすべきであり、木材の杢目に直交状となる方向に４０ないし３０％まで圧縮された印材を、その杢目方向の一方端が印面に設定可能な形状に切削、裁断し、透明樹脂塗料にて表面塗装されてなるものとするのが望ましく、より具体的には、後述する実施例に示すように、ヒバ材の杢目に直交状となる方向に４０ないし３０％まで圧縮された印材を、その杢目方向の一方端が印面に設定可能な形状に切削、裁断し、透明樹脂塗料にて表面塗装されたものとすることができる。
該透明樹脂塗料は、フッ素樹脂、シリコン樹脂、水性ウレタン、ニスなどの水性合成樹脂塗料や、油性塗料、ラッカー系塗料、漆などの天然樹脂塗料などの各種塗料類の中から適宜選択して利用したものとすることができる。
【００１６】
印章本体となる印材は、木製としなければならず、具体的には、柘や斧折樺のように従前より印章用として用いられていた木材の外、ヒバ、杉、檜、松、桜、胡桃、栗、ラワン、ラバーウッド、マホガニー、チーク、紫檀、黒檀、または、その他の木材を使用することが可能であり、集成材を用いることも不可能ではない。
【００１７】
印面は、紙などの対象物面に対して文字や記号、模様などの任意に設定された印影を転写可能とする機能を果たし、木製印章本体の適所に形成された一面であって彫刻凹面と印凸面との組み合わせからなるものとしなければならず、木材の杢目に直交状となる方向に圧縮された印材かなる木製印章本体の、杢目方向の一端に形成されてなるものとすべきである。
【００１８】
印面の彫刻凹面は、同印面の印凸面以外の部分を凹溝状に形成して該印面が押し当てられた紙などの対象物面に非接触状となって印影の空白部分を形成可能とする機能を果たし、換言すると印凸面を浮き彫り状とする凹部分ということができ、印面の印凸面以外の凹部分を形成し、撥朱肉油性を有する精油を塗装および含浸、または、塗装もしくは含浸してなるものとしなければならず、印章本体と同一種の木材から抽出した精油を塗装および含浸、または、塗装もしくは含浸してなるものとすべきであり、ヒバ材製の印章本体の場合には、撥朱肉油性と芳香性とを兼ね備えたヒバ油を用いたものとするのが望ましい。
精油は、植物に含まれ、揮発性の芳香物質を含む有機化合物であり、ハーブ系、樹木系、オリエンタル系、花精油系のものとすることが可能であり、換言すると花・蕾、葉、果皮、果実、種子、樹木、樹皮、樹枝、根、根茎、全草などから採れたものとすることができ、木製印材の種類に応じてヒバ、柘、斧折樺、杉、檜、松、桜、胡桃、栗、ラワン、ラバーウッド、マホガニー、チーク、紫檀、黒檀、または、その他の木材から採れたものとすることができる。
【００１９】
印面の印凸面は、同印面の彫刻凹面以外の部分を面一の凸面状に形成し、該印面を押し当てられた紙などの対象物面に接触して印影を形成可能とする機能を果たし、換言すれば彫刻凹面によって浮き彫り状となる凸面部分ということができ、印面の彫刻凹面以外の凸部分を形成し、文字や記号、模様などの印影を形成可能であり、しかも墨による化粧用の仕上げ塗装が施されてなるものとしなければならず、より具体的に示すと、印面の彫刻凹面以外の部分である印凸面には、墨かまたは朱墨かの何れか一方による化粧用の仕上げ塗装が施されたものとすることができる。
以下では、図面に示すこの考案を代表する実施例と共に、その構造について詳述することとする。                                                                                                          
【実施例１】
【００２０】
図１の印章の斜視図、および図２の印章の製造工程のフローチャートに示す事例は、圧縮加工Ａした木製印材からなる印章本体１０の杢目方向の一方端を、撥朱肉油性を有する精油を塗装および含浸Ｇ、または、塗装もしくは含浸してなる彫刻凹面２０、および、墨による化粧用の仕上げ塗装Ｈが施された印凸面２１からなる印面２に形成してなるものとした、この考案の印章における代表的な一実施例を示すものである。
【００２１】
それら各図からも明確に把握できるとおり、この考案の印章１は、原材料となる図示しないヒバ角材を、株式会社アミノ（http://www.amino.co.jp/）の木材圧縮技術によってヒバ材の杢目に直交状となる方向に、角材厚さ５２ｍｍから１８ｍｍまで圧縮するか、または、角材厚さ１０５ｍｍから３５ｍｍまで圧縮するかして、４０ないし３０％まで圧縮加工Ａした後、該圧縮済みのヒバ角材を変形しないよう乾燥機にて２週間にわたり乾燥処理Ｂした上、杢目方向端を木口とするよう、該ヒバ角材を丸棒削り機にて直径１０ｍｍ、直径１２ｍｍ、直径１５ｍｍなどの印章１に適する直径の丸棒状に切削加工Ｃしたものとしてから、印章１に適する長さに裁断加工Ｄし、さらに、該丸棒材の杢目方向の一端が印面２となるよう、該丸棒材軸心に直交状となる平坦面に仕上げ、これとは反対がわとなる杢目方向の他端を、曲面状に研磨加工Ｄして所謂寸胴タイプとするよう、長さ６０ｍｍに研磨して印章本体１０とする。
【００２２】
該印章本体１０は、印面２となる一方端面を除く表面に、水性ウレタン樹脂塗料による表面塗装Ｅを施して塗装皮膜が十分に乾燥、硬化した後、該一方端面に名字や氏名などの反転文字（鏡文字）を、印凸面２１およびその外枠２２が浮き彫り状に残るよう彫刻凹面２０を手作業または機械加工にて彫刻加工Ｆしてから、該彫刻凹面２０にヒバ油を塗布Ｇし、その一部が該彫刻凹面２０表面より木材内部に自然浸透して含浸されたものとし、さらに、当該印面２であって該彫刻凹面２０以外の面一平面を形成した印凸面２１およびその外枠２２に墨かまたは朱墨かの何れか一方を塗装して化粧用の仕上げ塗装Ｈされたものとして製造されたものである。
【００２３】
（実施例１の作用）
以上のとおりの構成からなるこの考案の印章１は、図１および図２中に示すように、ヒバ角材を杢目に直交状となる方向に４０ないし３０％まで圧縮加工Ａしてから、２週間にわたり乾燥処理Ｂして製造した印材からなり、木質素材の触感および外観を保持したまま、曲げ強さと表面硬度とを向上し、しかも比重が増加して重量感が増し、さらに、印章１に適したサイズの棒状に切削加工Ｃした上、印章１に適した長さに裁断および研磨加工Ｄしてから、表面塗装Ｅを施した印章本体１０は、その塗装皮膜が光沢を持った外観を与えるものとなり、汚れの付着や浸透、および傷から保護されるものとなる。
【００２４】
このようにして直径１０ｍｍ、直径１２ｍｍまたは直径１５ｍｍ、長さ６０ｍｍの所謂寸胴タイプに加工した当該印章本体は、その杢目方向の一方端に彫刻加工Ｆを施して印面２を形成した後、該印面２の彫刻凹面２０にヒバ油を塗布Ｇし、同彫刻凹面２０上にヒバ油皮膜を形成すると共に、同彫刻凹面２０より印章本体１０内部にヒバ油浸透層を形成して、同彫刻凹面２０を通じた朱肉油の印章本体１０内部への浸透を確実に阻止する上、ヒバ油の揮発成分による芳香作用が得られるものとなり、さらに、該印面２の印凸面２１およびその外枠２２に墨または朱墨の何れか一方を塗布して化粧仕上げ塗装Ｈし、該墨または朱墨の塗装色が、同印面２の印凸面２１および外枠２２を、それ以外の彫刻凹面２０より鮮明に際立たせて該印凸面２１の文字や記号または模様などのコントラストと美感とを高めると共に、同印凸面２１および外枠２２からの朱肉油の浸透を阻止するものとなる。
【００２５】
（実施例１の効果）
以上のような構成からなる実施例１の印章１は、前記この考案の効果の項で記載の特徴に加え、図１および図２中に示すように、印章本体１０の表面に水性ウレタン樹脂塗料による表面塗装Ｅを施してあり、油性塗料などに比較して速乾性に秀れて製造効率を高めることができ、しかも塗料特有のいやな臭いがなく、印章１を利用するときにも、ヒバ製印章本体１０および同印面２彫刻凹面２０に塗布Ｇしてあるヒバ油が発するヒバの香りを邪魔することがない上、安全で人と環境とに優しく、汚れの付着、浸透や黴などの発生を確実に防止することができ、透明感があって艶や光沢に秀れ、黄変が少なく、圧縮加工Ａによる高比重との相乗的効果によって、従来型の木製印章に比較して各段に高級感を高め、一段と付加価値を高めたものとすることができる。
【００２６】
（結  び）
叙述の如く、この考案の印章は、その新規な構成によって所期の目的を遍く達成可能とするものであり、しかも製造も容易で、杢目や木の温もりを保持したまま比重と硬度を高めて高級感が得られるものとなる上、効率的な生産にて低廉化して経済的なものとすることができ、木製印章の耐久強度を、象牙印材製や石印材製の印章に劣らない程度にまで高め、従前までの木製印章では欠けたり割れたりし易く不向きとされてきた印鑑証明登録などの長期利用にも適した印章とすることができ、耐久性に秀れた高品質な印章を希望する顧客や、これまでこうした顧客の要求に応えることができなかった印章店や印章工場はもとより、象牙印材の流通量の減少に伴い象牙に代わる耐久性に秀れた印材を模索する印章業界全体においても高く評価されるばかりでなく、様々な点で秀れた特質が認められている青森特産ヒバ材の評価を高める上でも役立つこととになって、広範に渡って利用、普及していくものになると予想される。                                                                                                                  
【図面の簡単な説明】
【００２７】
図面は、この考案の印章の技術的思想を具現化した代表的な一実施例を示すものである。
【図１】印章を示す斜視図である。
【図２】印章の製造工程を示すフローチャートである。
【符号の説明】
【００２８】
１      印章
１０    同  印章本体
２      印面
２０    同  彫刻凹面
２１    同  印凸面
２２    同  外枠
Ａ      圧縮加工
Ｂ      乾燥処理
Ｃ      切削加工
Ｄ      裁断・研磨加工
Ｅ      表面塗装
Ｆ      彫刻加工
Ｇ      ヒバ油の塗布および含浸
Ｈ      化粧仕上げ塗装                                                                                              
【図１】
0003146392.tif 000003
【図２】
0003146392.tif 000004